(57)【要約】【課題】内容物を収納した内袋をハウジングに取り付ける形式の二重容器用ハウジングのマウンティングカップに対するぐらつきを防止する。また、充填時間の短縮化を図る。【解決手段】ハウジング20にマウンティングカップ10をかしめ処理するための環状凹部21ｂを形成した。マウンティングカップ10の環状クリンプ10ａがハウジング20の環状凹部21ｂを上下方向に保持するとともに、当該環状クリンプの上下に位置する各内周面がハウジング20の外周面21ｃ，21ｄをそれぞれ内側方向に保持する。これによりマウンティングカップ10に対するハウジング20のぐらつきは防止され、両者のシール性も良い。ハウジング20は、内袋60の位置決め用の鍔状部23や溶着用のリブ22ａを設けている。また、ステム30の通路部のハウジング側の開口部32ｃをステムラバー40の底面側40ａで開閉しているため、当該開口部の断面積を大きくでき、放出用通路部31ａからの高速充填が可能である。【選択図】図１
2005162327.tif 000002
【特許請求の範囲】
【請求項１】
外部空間への放出用内容物を収納する内袋が取り付けられる下側筒状部と、
容器本体に取り付けるマウンティングカップに保持されるための凹状部を、この保持状態において当該マウンティングカップの開口側筒状部の突状保持部がその上下を当該凹状部に挟み込まれるような態様で形成し、かつ、当該凹状部の上下に続く各外周面部分を、当該保持状態において当該開口側筒状部の内周面に接する態様で形成した、上側筒状部とからなる、
ことを特徴とする二重容器用ハウジング。
【請求項２】
容器本体に取り付けるマウンティングカップと、当該マウンティングカップに取り付けられたハウジングとを有する二重容器用ハウジング機構において、
前記ハウジングは、
外部空間への放出用内容物を収納する内袋が取り付けられる下側筒状部と、
前記マウンティングカップに保持されるための凹状部を、この保持状態において当該マウンティングカップの開口側筒状部の突状保持部がその上下を当該凹状部に挟み込まれるような態様で形成し、かつ、当該凹状部の上下に続く各外周面部分を、当該保持状態において当該開口側筒状部の内周面に接する態様で形成した、上側筒状部とからなり、
前記マウンティングカップは、
前記開口側筒状部の突状保持部の上下部分で前記ハウジングの前記凹状部を保持するとともに、当該開口側筒状部の当該突状保持部以外の内周面で前記ハウジングの前記各外周面部分を保持している、
ことを特徴とする二重容器用ハウジング機構。
【請求項３】
容器本体に取り付けられたマウンティングカップと、前記マウンティングカップに取り付けられた二重容器用のハウジングと、前記ハウジングに取り付けられて外部空間への放出用内容物を収納した内袋とを有するエアゾール容器において、
前記ハウジングは、
前記内袋が取り付けられる下側筒状部と、
前記マウンティングカップに保持されるための凹状部を、この保持状態において当該マウンティングカップの開口側筒状部の突状保持部がその上下を当該凹状部に挟み込まれるような態様で形成し、かつ、当該凹状部の上下に続く各外周面部分を、当該保持状態において当該開口側筒状部の内周面に接する態様で形成した、上側筒状部とからなり、
前記マウンティングカップは、
前記開口側筒状部の突状保持部の上下部分で前記ハウジングの前記凹状部を保持するとともに、当該開口側筒状部の当該突状保持部以外の内周面で前記ハウジングの前記各外周面部分を保持している、
ことを特徴とするエアゾール容器。
【請求項４】
ステムガスケットとの開閉作用に基づく静止モード・作動モードの選択的な設定機能および容器内容物放出用の通路を備えたステムと、当該ステムの保持機能、および作動モード時に当該通路と連通する上流側の空間域を備えたハウジングと、を有するエアゾール容器内容物の通路機構において、
前記ステムは、前記空間域に対応した通路開口部が、静止モードのときに前記ステムガスケットの底面側で一周にわたって閉じられる態様のものであり、
前記ハウジングは、前記ステムの移動方向を上下方向のみに設定するための案内部を設けたものである、
ことを特徴とするエアゾール容器内容物の通路機構。
【請求項５】
請求項４記載の通路機構を備え、かつ、放出用ガスおよび内容物を収納した、
ことを特徴とするエアゾール式製品。
【請求項６】
請求項４記載の通路機構を持つエアゾール容器への充填方法であって、
前記通路に、容器内部への充填物を、作動モードのときの容器内容物の流れとは逆方向の形で供給し、
前記充填物の圧力に基づいて前記ステムを押し下げることにより、前記底面側と前記通路開口部との間をそれまでの閉状態から開状態に変化させ、
この変化にともなって前記底面側と前記ステムとの間に生じる空間部分を介して、前記充填物を、前記ハウジングの内部およびこれに続く容器内部に送り込む、
ことを特徴とするエアゾール容器への充填方法。
【発明の詳細な説明】
【技術分野】
【０００１】
本発明は、内容物収納用の内袋をハウジングに取り付ける形式の二重容器用ハウジングおよびそれを用いた二重容器用ハウジング機構やエアゾール容器に関し、特にマウンティングカップの例えばかしめ処理部分を上下から挟み込むための凹状部、および当該凹状部の上下にそれぞれ続く（マウンティングカップとの接触用の）各外周面を有するハウジングを用いて、マウンティングカップに対するハウジングのぐらつき防止およびハウジングとマウンティングカップとの間のシール性の向上を図ったものである。
【０００２】
また、エアゾール容器内容物の通路機構や、この通路機構を用いたエアゾール式製品および充填方法に関し、特に静止モードのときにステム通路のハウジング側連通部がガスケットの底面部分でシールされ、ステムの移動によりこのシール部分が開放されるようにして、エアゾール容器への充填作業の効率化を図ったものである。
【背景技術】
【０００３】
従来の二重構造のエアゾール容器としては、内容物を収納した内袋をハウジングに溶着し、当該内容物を内袋と外容器との間に収納された放出ガスの作用によって外部空間に放出するものなどがある。
【０００４】
このようなエアゾール容器では、マウンティングカップを、（ハウジングが内容物と内袋とを保持して重くなっているにもかかわらず）内袋を用いていない場合のハウジングを保持するときと同様に、ハウジングの大径部分から小径部に移行する部分に数箇所かしめ処理することによって当該ハウジングやステムなどを一体化して外容器に取り付けている（例えば、特許文献１参照）。
【０００５】
また、エアゾール容器への充填手法の一つに、容器（マウンティングカップ）に取り付けられたハウジング内を上下動するステムの内容物通路およびこれに続くハウジング内部空間を介して、放出用ガスや内容物を容器内部に充填するスルーステム方式がある。
【０００６】
この充填時には、ステムが充填対象の噴射ガスなどの圧力によって通常の作動モードよりも下方位置まで移動する。そして、静止モードのときにステムガスケット（の開口部の内周面）で閉塞される内容物通過用のステム孔部は、もちろん当該閉塞状態を解除されてハウジング内部空間と連通する。
【０００７】
充填対象物の移動経路は「ステムの内容物通路−ステム孔部−ハウジングの内部空間−容器内部」となる（例えば、特許文献２参照）。
【０００８】
【特許文献１】実開平６−８７２７８号公報（第１図）
【特許文献２】日本エアゾール協会技術委員会・東洋エアゾール工業株式会社研究部共著，「エアゾール包装技術−その基礎から応用まで−」，第１版，株式会社エアゾール産業新聞社，１９９８年１０月，ｐ２８２
【発明の開示】
【発明が解決しようとする課題】
【０００９】
このように、従来の内袋をハウジングに取り付ける形式のエアゾール容器の場合、マウンティングカップは内袋が溶着されていないハウジングに対するのと同じ態様で、かしめ処理されている。
【００１０】
この程度のかしめ処理では内袋を取り付けたハウジングを保持するのには十分でなく、ハウジングが内袋（内容物）の重さでぐらつき易く、その結果、両者のシール性が悪くなって放出用ガスが漏れたり、ハウジングがマウンティングカップから脱落してしまうという問題点があった。
【００１１】
また、スルーステム方式の充填法の場合、充填対象物は、ステムガスケットとの間の閉塞状態（シール状態）が解除されたステム孔部を通って容器内部へと移動する。
【００１２】
このステム孔部はもともと、いわば薄肉状のステムガスケットの開口部周面、すなわちそのわずかな厚み方向の面部分によって閉塞され、シールされている。
【００１３】
そのため、ステム孔部は、その内容物通過用の断面積が小さなものとならざるを得ず、このステム孔部から容器内部へと充填するときの処理時間も必然的に長くなってしまうという問題点があった。
【００１４】
そこで、本発明では、ハウジングを、従来のようにマウンティングカップの例えばかしめ処理部とその上側の内周面部分だけで保持するのではなく、当該処理部の下側の内周面部分でも保持するようにして、内袋付きのハウジングのぐらつき防止を図ることを目的とする。
【００１５】
また、ステムおよびハウジングからなる容器内容物の通路機構を、当該ステムのハウジング側の通路開口部、すなわちステムガスケットによるシール対象部（＝弁作用対象部）が、静止モードのときに当該ステムガスケットの（狭いエリアの開口部内周面ではなく）広いエリアである底面側とその一周にわたって密接し、充填モードのときにはこのステムガスケット底面から完全に離れる形のものにして、当該シール対象部における充填物通過用断面積（＝作動モードにおける内容物通過用断面積）を大きく設定できるようにし、容器内部への充填処理時間の短縮化を図ることを目的とする。
【課題を解決するための手段】
【００１６】
本発明は、この課題を次にようにして解決する。
（１）二重容器用ハウジング（例えば後述のハウジング２０）を、外部空間への放出用内容物（例えば後述の内容物Ａ）を収納する内袋（例えば後述の内袋６０）が取り付けられる下側筒状部（例えば後述の下側筒状部２２）と、容器本体（例えば後述の外容器７０）に取り付けるマウンティングカップ（例えば後述のマウンティングカップ１０）に保持されるための凹状部（例えば後述の環状凹部２１ｂ）を、この保持状態において、当該マウンティングカップの開口側筒状部の突状保持部（例えば後述の環状クリンプ１０ａ）がその上下を当該凹状部に挟み込まれるような態様で形成し、かつ、当該凹状部の上下に続く各外周面部分を、当該保持状態において当該開口側筒状部の内周面に接する態様で形成した上側筒状部（例えば後述の上側筒状部２１）と、で構成する。
（２）容器本体（例えば後述の外容器７０）に取り付けるマウンティングカップ（例えば後述のマウンティングカップ１０）と、当該マウンティングカップに取り付けられたハウジング（例えば後述のハウジング２０）とを有する二重容器用ハウジング機構において、前記ハウジングを、外部空間への放出用内容物（例えば後述の内容物Ａ）を収納する内袋（例えば後述の内袋６０）が取り付けられる下側筒状部（例えば後述の下側筒状部２２）と、前記マウンティングカップに保持されるための凹状部（例えば後述の環状凹部２１ｂ）を、この保持状態において、当該マウンティングカップの開口側筒状部の突状保持部（例えば後述の環状クリンプ１０ａ）がその上下を当該凹状部に挟み込まれるような態様で形成し、かつ、当該凹状部の上下に続く各外周面部分を、当該保持状態において当該開口側筒状部の内周面に接する態様で形成した上側筒状部（例えば後述の上側筒状部２１）とからなるものとし、前記マウンティングカップを、前記開口側筒状部の突状保持部の上下部分で前記ハウジングの前記凹状部を保持するとともに、当該開口側筒状部の当該突状保持部以外の内周面で前記ハウジングの前記各外周面部分を保持する態様のものとする。
（３）容器本体（例えば後述の外容器７０）に取り付けられたマウンティングカップ（例えば後述のマウンティングカップ１０）と、前記マウンティングカップに取り付けられた二重容器用のハウジング（例えば後述のハウジング２０）と、前記ハウジングに取り付けられて外部空間への放出用内容物（例えば後述の内容物Ａ）を収納した内袋（例えば後述の内袋６０）とを有するエアゾール容器において、前記ハウジングを、前記内袋が取り付けられる下側筒状部（例えば後述の下側筒状部２２）と、前記マウンティングカップに保持されるための凹状部（例えば後述の環状凹部２１ｂ）を、この保持状態において、当該マウンティングカップの開口側筒状部の突状保持部（例えば後述の環状クリンプ１０ａ）がその上下を当該凹状部に挟み込まれるような態様で形成した上側筒状部（例えば後述の上側筒状部２１）と、で構成し、前記マウンティングカップを、前記開口側筒状部の突状保持部の上下部分で前記ハウジングの前記凹状部を保持するとともに、当該開口側筒状部の当該突状保持部以外の内周面で前記ハウジングの前記各外周面部分を保持する態様のものとする。
（４）ステムガスケット（例えば後述のステムラバー４０）との開閉作用に基づく静止モード・作動モードの選択的な設定機能、および容器内容物放出用の通路（例えば後述の放出用通路３１ａ，溝部３２ｂ）を備えたステム（例えば後述のステム３０）と、当該ステムの保持機能、および作動モード時に当該通路と連通する上流側の空間域（例えば後述の空間域２０ｂ）を備えたハウジング（例えば後述のハウジング２０）と、を有するエアゾール容器内容物の通路機構において、前記ステムを、前記空間域に対応した通路開口部（例えば後述の開口部３２ｃ）が、静止モードのときに前記ステムガスケットの底面側（例えば後述の底面側４０ａ）で一周にわたって閉じられる態様のものとし、前記ハウジングを、前記ステムの移動方向を上下方向のみに設定するための案内部（例えば後述のガイドリブ２１ｅ）を設けたものとする。
（５）上記４記載の通路機構を備え、かつ、放出用ガスおよび内容物を収納したエアゾール式製品とする。
（６）上記４記載の容器内容物の通路機構を持つエアゾール容器への充填方法であって、前記通路（例えば後述の放出用通路３１ａ，３２ｂ）に、容器内部への充填物を、作動モードのときの容器内容物の流れとは逆方向の形で供給し、前記充填物の圧力に基づいて前記ステム（例えば後述のステム３０）を押し下げることにより、前記底面側（例えば後述の底面側４０ａ）と前記通路開口部（例えば後述の開口部３２ｃ）との間をそれまでの閉状態から開状態に変化させ、この変化にともなって前記底面側と前記ステムとの間に生じる空間部分（例えば後述の連通用空間２０ｃ）を介して、前記充填物を、前記ハウジングの内部（例えば後述の空間域２０ｂ）およびこれに続く容器内部に送り込む。
【発明の効果】
【００１７】
本発明では、このように、マウンティングカップの、例えばかしめ処理された周方向の突状保持部は、その上下部分がハウジングの凹状部に挟み込まれる。また、マウンティングカップの当該突状保持部以外の内周面は、当該凹状部の上下にそれぞれ続くハウジング外周面に接する。
【００１８】
したがって、内容物を収納するための内袋が取り付けられたハウジングは、マウンティングカップによって上下方向および（凹状部の上下部分それぞれの）内側方向に確実に保持されるので、ハウジングのマウンティングカップに対するぐらつきは防止され、マウンティングカップおよびハウジング間のシール性の向上化を図ることができる。
【００１９】
また、ステムのハウジング側の通路開口部（＝ステムガスケットによるシール対象部）を、静止モードのとき、ステムガスケットの（広いエリアである）底面側と密接する態様にしているので、ステムの当該シール対象部の断面積、すなわち充填物の通過用断面積を大きく設定でき、容器内部への充填処理時間の短縮化を図ることができる。
【発明を実施するための最良の形態】
【００２０】
図１乃至図３を用いて本発明を実施するための最良の形態を説明する。
図１はマウンティングカップをかしめ処理するための環状凹部を形成した二重容器用のハウジングを用いたエアゾール容器を示し、図２は図１のハウジング単体を示し、図３は図１のエアゾール容器への充填経路を示している。
【００２１】
これらの図において、
１０は巻締めにより後述の外容器７０に固定されてハウジング２０の環状凹部２０ｃにかしめ処理されたマウンティングカップ，１０ａはかしめ処理部分の環状クリンプ，
２０はハウジング，２０ａは内容物の通路となる内部空間，２０ｂは当該内部空間の一部で作動モード時や充填モード時に後述の溝部３２ｂと連通する空間域，２０ｃは作動モード時や充填モード時に後述のステムラバー４０の底面側４０ａとステム３０（カップ状部３２）の開口部３２ｃとの間に生じる連通用空間，
２１は当該ハウジングの一部でマウンティングカップ１０に固定的に保持される上側筒状部，２１ａは内容物の通路となる縦溝，２１ｂはマウンティングカップ１０をかしめ処理するための環状凹部，２１ｃは当該環状凹部よりも大径の上側外周面，２１ｄは当該上側外周面と略同一径の下側外周面，２１ｅは当該縦溝を構成する壁部分であって後述のステム３０（カップ状部３２）を図示の上下方向のみに案内する（断面がＬ状の）ガイド用リブ
２２は当該ハウジングの一部で後述の内袋６０を溶着するための下側筒状部，２２ａは後述の内袋６０を確実に溶着するためのリブ，２２ｂは内部空間２２ａの一部を構成する下方内部空間，
２３は当該ハウジングの一部で後述の内袋６０を取り付ける際にその先端部分の位置決めをするための鍔状部，
３０は後述の柱状部３１および後述のカップ状部３２からなる２ピースタイプのステム，３１は当該ステムの柱状部，３１ａは放出用通路，
３２は当該ステムのカップ状部，３２ａは当該カップ状部の上面に形成した環状突部，３２ｂは内容物の通路となる縦方向の溝部，３２ｃは当該溝部の（作動モード時の）上流側端部で静止モード時には後述のステムラバー４０によってシールされる開口部，３２ｄは当該溝部を構成する壁部分であって柱状部３１を嵌合して固定する（断面がＬ状の）固定用リブ，３２ｅは当該固定用リブが形成されていない底面中央空間域，
４０はステムラバー，４０ａは静止モード時にステム３０の開口部３２ｃをシールする底面側，
５０はハウジング２０（上側筒状部２１）のガイド用リブ２１ｅの段部に支持されてステム３０を上方向に付勢するスプリング，
６０は内容物を収納し垂下部２２に溶着される内袋，
７０は外容器，
Ａは内袋６０に収納された内容物，
Ｂは外容器７０と内袋６０との間に収納された内容物放出用のガス，
をそれぞれ示している。
【００２２】
ここで、
・マウンティングカップ１０の材質は、ブリキ，アルミニウムなどの金属、
・ハウジング２０の材質は、ポリプロピレン，ポリエチレン，ポリアセタール，ナイロンなどのプラスチック、
・内袋６０の材質は、アルミニウム，またはポリエチレン，ポリプロピレン，ナイロンなどの各種プラスチックとアルミニウムとの積層ラミネート構造のもの、
・外容器７０の材質は、アルミニウム，ブリキなどの金属，ガラス，ポリエチレンテレフタレート，ポリブチレンテレフタレート，ポリアセタール，ナイロンなどのプラスチックである。
【００２３】
なお、内容物Ａを収納した内袋６０の下側部分は、外容器７０の底部分から離間した状態であってもよいし、外容器の底部分に当接または固定されていてもよい。
【００２４】
図１乃至図３に示すように、ハウジング２０にはマウンティングカップ１０をかしめ処理するための環状凹部２１ｂが形成されている。
【００２５】
図１に示すように、マウンティングカップ１０は、
・環状クリンプ１０ａが一周に渡って環状凹部２１ｂに挟み込まれて、ハウジング２０を上下方向に保持し、
・この環状クリンプ以外の内周面が一周に渡って上側外周面２１ｃおよび下側外周面２１ｄに圧接し、ハウジング２０を内側方向に保持している。また、マウンティングカップ１０の外側端部は外容器７０に巻締められている。
【００２６】
これにより、ハウジング２０，ステム３０，ステムラバー４０，スプリング５０は一体化したかたちで外容器７０に取り付けられている。
【００２７】
このときマウンティングカップ１０は、ハウジング２０，内袋６０や内容物Ａの総重量を保持しているが、前述のように、ハウジング２０を一周に渡って上下方向および内側方向に保持しているので、ハウジング２０のぐらつきは防止される。
【００２８】
ここで、ハウジング２０の垂下部２２の外周面には、周回方向の３本のリブ２２ａが設けられ、また、垂下部２２の上側には内袋６０を取り付ける際にその先端部分を位置決めするための鍔状部２３が備えられている。
【００２９】
したがって、
・それぞれのリブ２２ａが内袋６０を溶着するときの圧力を確実に受け、
・鍔状部２３により内袋６０の取付位置が決められるので、
内袋６０はシール性良く垂下部２２ａに取り付けられる。
【００３０】
なお、ステム３０は２ピースタイプであり、利用者は必要に応じて柱状部３１を取り外し、これやカップ状部３２の内部空間などを清掃することができる。
【００３１】
図１はステム３０が押圧されていない静止モードであり、内袋６０に収納された内容物Ａは、内袋６０と外容器７０の間に収納されている放出用ガスＢの圧力を受けているが、ステム３０のカップ状部３２はステムラバー４０に密接したままなので当該内容物は放出されない。
【００３２】
操作部（図示省略）を押し下げてステム３０が下動した作動モードでは、カップ状部３２とステムラバー４０との隙間が生じるので、内袋６０の内容物Ａは、放出用ガスＢの圧力により、ハウジング２０の下方内部空間２２ｂ−縦溝２１ａ−カップ状部３２とステムラバー４０との連通用空間２０ｃ−溝部３２ｂ−底面中央空間域３２ｅ−放出用通路３１ａを通って外部空間に放出される。
【００３３】
前述の静止モードや作動モードでエアゾール容器が振られ、その結果内容物を収納した重い内袋６０がハウジング２０に対して動いたとしても、ハウジング２０はマウンティングカップ１０に確実に保持されているので、当該ハウジングのぐらつきは防止され、したがってマウンティングカップ１０とのシール性も良く放出用ガスＢの漏洩が防止される。
【００３４】
なお、ハウジング２０に形成する環状凹部２１ｂは、その周方向に間歇的に設けるようにしてもよい。また、ステム３０を１ピースの形態のものにしてもよい。
【００３５】
図３の充填モードでは、例えばクリームや接着剤などの内容物が圧縮ガス（例えば圧縮空気）とともにステム３０（柱状部３１）の放出用通路３１ａに図示の矢印方向、すなわち作動モード時の内容物の放出方向とは逆の方向に送り込まれている。
【００３６】
ステム３０は、この圧縮ガスの圧力をカップ状部３２の底面などで受けて図示のように下方向に移動し、当該カップ状部（溝部３２ｂ）の開口部３２ｃが作動モード時と同じようにステムラバー４０の底面側４０ａから離れる。この移動後の位置は操作ボタン（図示省略）を押圧して作動モードに設定したときのステムの下動位置よりも下方である。
【００３７】
そして、充填物は、作動モード時とは逆の経路、すなわち「柱状部３１の放出用通路３１ａ−底面中央空間域３２ｅ−溝部３２ｂ−カップ状部３２とステムラバー４０との連通用空間２０ｃ−縦溝２１ａ−ハウジング２０の下方内部空間２２ｂ」の経路を介して、内袋６０に送り込まれる。
【００３８】
図３の充填手法（経路）における特徴は、ステム３０とステムラバー４０との間の弁作用部として、当該ステムラバーの底面側４０ａとこれに対応するカップ状部３２（縦方向の溝部３２ｂ）の開口部３２ｃとを用いたことである。
【００３９】
このようにステム側の通路部を、従来のようにステムラバー開口部の内周面で開閉するのではなく、当該内周面よりも面積がはるかに広いステムラバー底面側で開閉することにより、ステム３０の下流側充填通路となる溝部３２ｂのいわば出力部である開口部３２ｃの充填物通過断面積を大きくしている。その結果、ステム側の通路部から容器内部への充填時間の短縮化を図ることができる。
【００４０】
なお、この充填手法が（図示のような二重容器ではない）通常の単一エアゾール容器への放出用ガスや内容物の充填にも適用できることは勿論である。
【００４１】
本発明のエアゾール容器の操作部材としては、
・操作時に直線移動する押釦形式のもの、
・操作時に回動するトリガーレバー形式のもの、
などを用いることができる。
【００４２】
以上の二重容器用ハウジング機構や通路機構を備えた製品としては、接着剤，食品，洗浄剤，清掃剤，消臭剤，制汗剤，忌避剤（殺虫剤），医薬品，医薬部外品，冷却剤，筋肉消炎剤，化粧品，頭髪用品，染毛剤，洗濯のりなどがある。
【００４３】
エアゾール容器の内袋に収納する内容物は、金属塩類粉末，無機物粉末や樹脂粉末およびこれらの混合物，懸濁剤，界面活性剤，紫外線吸収剤，乳化剤，油性原料，保湿剤，油成分，アルコール類，高分子化合物，酸化防止剤，金属イオン封鎖剤などである。
【００４４】
内袋と容器本体との間に収納する内容物放出用のガスは、窒素，炭酸ガスなどの圧縮ガスや、液化石油ガス，ジメチルエーテル，フロロカーボンなどの液化ガスなどである。
【図面の簡単な説明】
【００４５】
【図１】本発明の、マウンティングカップをかしめ処理するための環状凹部を形成した二重容器用のハウジングを用いたエアゾール容器を示す説明図である。
【図２】本発明の、ハウジング単体を示す説明図である。
【図３】本発明の、図１のエアゾール容器の充填経路を示す説明図である。
【符号の説明】
【００４６】
１０：マウンティングカップ
１０ａ：環状クリンプ
２０：ハウジング
２０ａ：内部空間
２０ｂ：空間域
２０ｃ：連通用空間
２１：上側筒状部
２１ａ：縦溝
２１ｂ：環状凹部
２１ｃ：上側外周面
２１ｄ：下側外周面
２１ｅ：ガイド用リブ
２２：下側筒状部
２２ａ：リブ
２２ｂ：下方内部空間
２３：鍔状部
３０：ステム
３１：柱状部
３１ａ：放出用通路
３２：カップ状部
３２ａ：環状突部
３２ｂ：縦方向の溝部
３２ｃ：開口部
３２ｄ：固定用リブ
３２ｅ：底面中央空間域
４０：ステムラバー
４０ａ：底面側
５０：スプリング
６０：内袋
７０：外容器
Ａ：内容物
Ｂ：放出用ガス
【図１】
2005162327.tif 000003
【図２】
2005162327.tif 000004
【図３】
2005162327.tif 000005